(57)【要約】【課題】表示制御のパワーセーブモードが有効である場合に、適切な情報を確実に表示することである。【解決手段】端末装置２０は、透明フレームからなり、パワーセーブモードにより所定番目のフレームで再生が一時停止される形式の第１の動画ファイルを表示部２４に再生し、パワーセーブモードにより一時停止されない形式の非制限画像ファイルを第１の動画ファイルの下に重ね合わせて表示し、第１の動画ファイルが前記所定番目のフレームより後のフレームまで再生されたか否かを判別する。端末装置２０は、第１の動画ファイルが前記所定番目のフレームより後のフレームまで再生された場合に、パワーセーブモードにより一時停止される形式の第２の動画ファイルを非制限画像ファイルの上に重ね合わせて再生する。【選択図】図１
2016032188.tif 000002
【特許請求の範囲】
【請求項１】
透明フレームからなり、パワーセーブモードにより所定番目のフレームで再生が一時停止される形式の第１の動画ファイルを表示手段に再生する第１の再生制御手段と、
前記パワーセーブモードにより一時停止されない形式の非制限画像ファイルを前記第１の動画ファイルの下に重ねて表示する表示制御手段と、
前記第１の動画ファイルが前記所定番目のフレームより後のフレームまで再生されたか否かを判別する判別手段と、
前記第１の動画ファイルが前記所定番目のフレームより後のフレームまで再生された場合に、前記パワーセーブモードにより一時停止される形式の第２の動画ファイルを前記非制限画像ファイルの上に重ねて再生する第２の再生制御手段と、を備える動画再生制御装置。
【請求項２】
前記判別手段は、前記第１の動画ファイルが前記所定番目のフレームより後のフレームまで再生されたか否かにより、前記パワーセーブモードにより一時停止された前記第１の動画ファイルの再生が再開されたか否かを判別する請求項１に記載の動画再生制御装置。
【請求項３】
前記第１の動画ファイルは、帯域判定用ファイルであり、
前記第１の動画ファイルをサーバから受信する受信手段と、
前記受信された第１の動画ファイルの受信時間から帯域を判定する判定手段と、を備え、
前記受信手段は、前記判定された帯域に対応する第２の動画ファイルを前記サーバから受信し、
前記第２の再生制御手段は、前記受信された第２の動画ファイルを再生する請求項１又は２に記載の動画再生制御装置。
【請求項４】
前記表示制御手段は、前記第１の動画ファイルの再生開始から、前記所定番目のフレームまでの再生時間よりも長い所定時間の経過後に、前記非制限画像ファイルを表示する請求項１から３のいずれか一項に記載の動画再生制御装置。
【請求項５】
非制限画像ファイルの表示指示の入力を受け付ける操作手段を備え、
前記表示制御手段は、前記非制限画像ファイルの表示指示が入力された場合に、前記非制限画像ファイルを表示する請求項１から４のいずれか一項に記載の動画再生制御装置。
【請求項６】
パワーセーブモードにより所定番目のフレームで再生が一時停止されない形式の非制限画像ファイルを表示手段に表示する表示制御手段と、
前記パワーセーブモードにより一時停止される形式の動画ファイルであって、最初に所定数の透明フレームが追加された動画ファイルを前記非制限画像ファイルの上に重ねて再生する再生制御手段と、を備える動画再生制御装置。
【請求項７】
前記パワーセーブモードにより表示制限される形式の動画ファイルの最初に所定数の透明フレームを追加する追加手段を備え、
前記再生制御手段は、前記追加手段により所定数の透明フレームが追加された動画ファイルを再生する請求項６に記載の動画再生制御装置。
【請求項８】
透明フレームからなり、パワーセーブモードにより所定番目のフレームで再生が一時停止される形式の第１の動画ファイルを表示手段に再生する第１の再生制御工程と、
前記パワーセーブモードにより一時停止されない形式の非制限画像ファイルを前記第１の動画ファイルの下に重ねて表示する表示制御工程と、
前記第１の動画ファイルが前記所定番目のフレームより後のフレームまで再生されたか否かを判別する判別工程と、
前記第１の動画ファイルが前記所定番目のフレームより後のフレームまで再生された場合に、前記パワーセーブモードにより一時停止される形式の第２の動画ファイルを前記非制限画像ファイルの上に重ねて再生する第２の再生制御工程と、を含む動画再生制御方法。
【請求項９】
パワーセーブモードにより所定番目のフレームで再生が一時停止されない形式の非制限画像ファイルを表示手段に表示する表示制御工程と、
前記パワーセーブモードにより一時停止される形式の動画ファイルであって、最初に所定数の透明フレームが追加された動画ファイルを前記非制限画像ファイルの上に重ねて再生する再生制御工程と、を含む動画再生制御方法。
【請求項１０】
コンピュータを、
透明フレームからなり、パワーセーブモードにより所定番目のフレームで再生が一時停止される形式の第１の動画ファイルを表示手段に再生する第１の再生制御手段、
前記パワーセーブモードにより一時停止されない形式の非制限画像ファイルを前記第１の動画ファイルの下に重ねて表示する表示制御手段、
前記第１の動画ファイルが前記所定番目のフレームより後のフレームまで再生されたか否かを判別する判別手段、
前記第１の動画ファイルが前記所定番目のフレームより後のフレームまで再生された場合に、前記パワーセーブモードにより一時停止される形式の第２の動画ファイルを前記非制限画像ファイルの上に重ねて再生する第２の再生制御手段、
として機能させるためのプログラム。
【請求項１１】
コンピュータを、
パワーセーブモードにより所定番目のフレームで再生が一時停止されない形式の非制限画像ファイルを表示手段に表示する表示制御手段、
前記パワーセーブモードにより一時停止される形式の動画ファイルであって、最初に所定数の透明フレームが追加された動画ファイルを前記非制限画像ファイルの上に重ねて再生する再生制御手段、
として機能させるためのプログラム。
【発明の詳細な説明】
【技術分野】
【０００１】
本発明は、動画再生制御装置、動画再生制御方法及びプログラムに関する。
【背景技術】
【０００２】
従来、インターネットに接続されたＰＣ（Personal Computer）等の端末装置において、Ｗｅｂサーバから提供されるＷｅｂページを表示する場合に、広告の動画ファイルを当該ページ上に表示することが知られている。
【０００３】
また、通信部の消費電力を抑えるためのパワーセーブモード（以下、通信のパワーセーブモードとする）を選択可能な端末装置が知られている。例えば、音声、動画等のファイルを受信してストリーミング表示する場合に、キャッシュ残量を算出し、キャッシュ残量に応じてリアルタイム要求の有無を判定し、その判定結果に応じて通信部の消費電力を抑える通信パワーセーブモードの開始及び終了を制御する通信端末装置が知られている（特許文献１参照）。
【先行技術文献】
【特許文献】
【０００４】
【特許文献１】特開２００９−７１３８５号公報
【発明の概要】
【発明が解決しようとする課題】
【０００５】
上記通信のパワーセーブモードとは別に、端末装置におけるＷｅｂページの表示時に、広告等の動画ファイルを再生し１フレーム目で一時停止することにより、制御部の処理負荷を抑えて消費電力を抑えるパワーセーブモード（以下、表示制御のパワーセーブモードとする）が知られている。一時停止された動画ファイルは、ユーザからのクリック操作に応じて、再生が再開される。
【０００６】
しかし、提供される動画ファイルは、表示制御のパワーセーブモードを意図していないものが多い。例えば、提供される動画ファイルが広告である場合に、表示制御のパワーセーブモードが有効であると、動画ファイルの１フレーム目が表示されて一時停止され、当該１フレーム目が真っ白等、広告の内容が不明である場合に、ユーザが広告に興味を示さなく、ＣＴＲ（Click Through Ratio）の低下を招く。この問題は、当然、従来の通信のパワーセーブモードを制御する通信端末装置では解決されない。
【０００７】
本発明の課題は、表示制御のパワーセーブモードが有効である場合に、適切な情報を確実に表示することである。
【課題を解決するための手段】
【０００８】
上記課題を解決するために、請求項１に記載の発明の動画再生制御装置は、
透明フレームからなり、パワーセーブモードにより所定番目のフレームで再生が一時停止される形式の第１の動画ファイルを表示手段に再生する第１の再生制御手段と、
前記パワーセーブモードにより一時停止されない形式の非制限画像ファイルを前記第１の動画ファイルの下に重ねて表示する表示制御手段と、
前記第１の動画ファイルが前記所定番目のフレームより後のフレームまで再生されたか否かを判別する判別手段と、
前記第１の動画ファイルが前記所定番目のフレームより後のフレームまで再生された場合に、前記パワーセーブモードにより一時停止される形式の第２の動画ファイルを前記非制限画像ファイルの上に重ねて再生する第２の再生制御手段と、を備える。
【０００９】
請求項２に記載の発明は、請求項１に記載の動画再生制御装置において、
前記判別手段は、前記第１の動画ファイルが前記所定番目のフレームより後のフレームまで再生されたか否かにより、前記パワーセーブモードにより一時停止された前記第１の動画ファイルの再生が再開されたか否かを判別する。
【００１０】
請求項３に記載の発明は、請求項１又は２に記載の動画再生制御装置において、
前記第１の動画ファイルは、帯域判定用ファイルであり、
前記第１の動画ファイルをサーバから受信する受信手段と、
前記受信された第１の動画ファイルの受信時間から帯域を判定する判定手段と、を備え、
前記受信手段は、前記判定された帯域に対応する第２の動画ファイルを前記サーバから受信し、
前記第２の再生制御手段は、前記受信された第２の動画ファイルを再生する。
【００１１】
請求項４に記載の発明は、請求項１から３のいずれか一項に記載の動画再生制御装置において、
前記表示制御手段は、前記第１の動画ファイルの再生開始から、前記所定番目のフレームまでの再生時間よりも長い所定時間の経過後に、前記非制限画像ファイルを表示する。
【００１２】
請求項５に記載の発明は、請求項１から４のいずれか一項に記載の動画再生制御装置において、
非制限画像ファイルの表示指示の入力を受け付ける操作手段を備え、
前記表示制御手段は、前記非制限画像ファイルの表示指示が入力された場合に、前記非制限画像ファイルを表示する。
【００１３】
請求項６に記載の発明の動画再生制御装置は、
パワーセーブモードにより所定番目のフレームで再生が一時停止されない形式の非制限画像ファイルを表示手段に表示する表示制御手段と、
前記パワーセーブモードにより一時停止される形式の動画ファイルであって、最初に所定数の透明フレームが追加された動画ファイルを前記非制限画像ファイルの上に重ねて再生する再生制御手段と、を備える。
【００１４】
請求項７に記載の発明は、請求項６に記載の動画再生制御装置において、
前記パワーセーブモードにより表示制限される形式の動画ファイルの最初に所定数の透明フレームを追加する追加手段を備え、
前記再生制御手段は、前記追加手段により所定数の透明フレームが追加された動画ファイルを再生する。
【００１５】
請求項８に記載の発明の動画再生制御方法は、
透明フレームからなり、パワーセーブモードにより所定番目のフレームで再生が一時停止される形式の第１の動画ファイルを表示手段に再生する第１の再生制御工程と、
前記パワーセーブモードにより一時停止されない形式の非制限画像ファイルを前記第１の動画ファイルの下に重ねて表示する表示制御工程と、
前記第１の動画ファイルが前記所定番目のフレームより後のフレームまで再生されたか否かを判別する判別工程と、
前記第１の動画ファイルが前記所定番目のフレームより後のフレームまで再生された場合に、前記パワーセーブモードにより一時停止される形式の第２の動画ファイルを前記非制限画像ファイルの上に重ねて再生する第２の再生制御工程と、を含む。
【００１６】
請求項９に記載の発明の動画再生制御方法は、
パワーセーブモードにより所定番目のフレームで再生が一時停止されない形式の非制限画像ファイルを表示手段に表示する表示制御工程と、
前記パワーセーブモードにより一時停止される形式の動画ファイルであって、最初に所定数の透明フレームが追加された動画ファイルを前記非制限画像ファイルの上に重ねて再生する再生制御工程と、を含む。
【００１７】
請求項１０に記載の発明のプログラムは、
コンピュータを、
透明フレームからなり、パワーセーブモードにより所定番目のフレームで再生が一時停止される形式の第１の動画ファイルを表示手段に再生する第１の再生制御手段、
前記パワーセーブモードにより一時停止されない形式の非制限画像ファイルを前記第１の動画ファイルの下に重ねて表示する表示制御手段、
前記第１の動画ファイルが前記所定番目のフレームより後のフレームまで再生されたか否かを判別する判別手段、
前記第１の動画ファイルが前記所定番目のフレームより後のフレームまで再生された場合に、前記パワーセーブモードにより一時停止される形式の第２の動画ファイルを前記非制限画像ファイルの上に重ねて再生する第２の再生制御手段、
として機能させる。
【００１８】
請求項１１に記載の発明のプログラムは、
コンピュータを、
パワーセーブモードにより所定番目のフレームで再生が一時停止されない形式の非制限画像ファイルを表示手段に表示する表示制御手段、
前記パワーセーブモードにより一時停止される形式の動画ファイルであって、最初に所定数の透明フレームが追加された動画ファイルを前記非制限画像ファイルの上に重ねて再生する再生制御手段、
として機能させる。
【発明の効果】
【００１９】
本発明によれば、表示制御のパワーセーブモードが有効である場合に、適切な非制限画像ファイルを確実に表示できる。
【図面の簡単な説明】
【００２０】
【図１】本発明の実施の形態のページ表示システムを示すブロック図である。
【図２】（ａ）は、Ｗｅｂページを示す図である。（ｂ）は、非制限広告ファイルを示す図である。（ｃ）は、透明動画ファイルを示す図である。（ｄ）は、広告動画ファイルを示す図である。
【図３】第１のページ表示処理を示すフローチャートである。
【図４】第２のページ表示処理を示すフローチャートである。
【図５】広告表示領域を示す図である。
【図６】第３のページ表示処理を示すフローチャートである。
【発明を実施するための形態】
【００２１】
以下、添付図面を参照して本発明に係る第１の実施の形態、変形例及び第２の実施の形態を詳細に説明する。なお、本発明は、図示例に限定されるものではない。
【００２２】
［１．第１の実施の形態］
図１〜図３を参照して、本発明に係る第１の実施の形態を説明する。
【００２３】
［１−１．装置構成の説明］
図１を参照して、本実施の形態の装置構成を説明する。図１は、本実施の形態のページ表示システム１を示すブロック図である。
【００２４】
［１−１−１．全体構成］
図１を参照して、本実施の形態のページ表示システム１を説明する。
【００２５】
ページ表示システム１は、Ｗｅｂページを広告の画像ファイルとともに表示するシステムである。図１に示すように、ページ表示システム１は、サーバ１０と、動画再生制御装置としての端末装置２０と、を備える。サーバ１０及び端末装置２０は、通信ネットワークＮを介して接続されている。
【００２６】
サーバ１０は、Ｗｅｂページを端末装置２０に提供するＷｅｂサーバである。サーバ１０は、複数のＷｅｂサーバの１つを代表して示したものである。
【００２７】
端末装置２０は、Ｗｅｂページを表示する端末装置である。端末装置２０は、Ｗｅｂページ上の動画ファイルの再生を１フレーム目で一時停止して消費電力を抑える表示制御のパワーセーブモードの有効／無効が設定可能であるものとする。このため、端末装置２０が、二次電池により電源供給を行うために表示制御のパワーセーブモードの省電力の効果が高い携帯端末としてのノートＰＣであるものとして説明する。しかし、これに限定されるものではなく、端末装置２０は、タブレットＰＣ、スマートフォン等、他の携帯端末や、デスクトップＰＣ等としてもよい。表示制御のパワーセーブモードの機能は、端末装置２０のＯＳ（Operating System）プログラム上で実行されるブラウザプログラムにより実現されるものとする。なお、表示制御のパワーセーブモードは、Ｗｅｂページ上の動画ファイルの再生を２以上の複数フレーム目で一時停止して消費電力を抑えるものとしてもよい。
【００２８】
通信ネットワークＮは、インターネットであり、ＬＡＮ（Local Area Network）や専用線等を含んでもよい。
【００２９】
［１−１−２．サーバ１０の機能構成］
図１に示すように、サーバ１０は、制御部１１と、記憶部１２と、通信部１３と、を備える。制御部１１は、ＣＰＵ（Central Processing Unit）、ＲＡＭ（Random Access Memory）からなり、サーバ１０の各部を制御する。制御部１１は、各種システムプログラム及びアプリケーションプログラムのうち指定されＲＡＭに展開されたプログラムとＣＰＵとの協働により、各種処理を実行する。
【００３０】
記憶部１２は、ＨＤＤ（Hard Disk Drive）、ＳＳＤ（Solid State Drive）等、情報の読み出し及び書き込みが可能な記憶部により構成され、各種データ及び各種プログラムを記憶する。また、記憶部１２は、Ｗｅｂページのページデータ、後述する非制限広告ファイル、透明動画ファイル、広告動画ファイルを記憶している。
【００３１】
通信部１３は、ネットワークカード等により構成され、通信ネットワークＮに有線接続され、通信ネットワークＮ上の機器（端末装置２０）と情報の送受信を行う。
【００３２】
［１−１−３．端末装置２０の機能構成］
図１に示すように、端末装置２０は、第１、第２の再生制御手段、再生制御手段、表示制御手段、判別手段、判定手段としての制御部２１と、記憶部２２と、受信手段としての通信部２３と、表示手段としての表示部２４と、操作手段としての操作部２５と、計時部２６と、を備える。
【００３３】
制御部２１は、ＣＰＵ、ＲＡＭからなり、端末装置２０の各部を制御する。制御部２１は、ＯＳプログラム、ブラウザプログラム等の各種システムプログラム及びアプリケーションプログラムのうち指定されＲＡＭに展開されたプログラムとＣＰＵとの協働により、各種処理を実行する。
【００３４】
記憶部２２は、ＨＤＤ、ＳＳＤ等、情報の読み出し及び書き込みが可能な記憶部により構成され、各種データ及び各種プログラムを記憶する。
【００３５】
通信部２３は、アンテナ、変調復調回路、信号処理回路等を含む無線通信ユニットにより構成され、通信ネットワークＮ上の基地局（図示略）又はアクセスポイント（図示略）と無線通信を行う。制御部２１は、通信部２３を介して、通信ネットワークＮ上の機器（サーバ１０）と通信を行う。
【００３６】
表示部２４は、ＬＣＤ（Liquid Crystal Display）や、ＥＬ（ElectroLuminescence）ディスプレイ等の表示パネルを有し、各種表示情報を表示パネルに表示する。
【００３７】
操作部２５は、キーボードとタッチパッド等のポインティングデバイスとを備え、ユーザからのキー操作及び位置入力操作を受け付け、その操作情報を制御部２１に出力する。
【００３８】
計時部２６は、リアルタイムクロックであり、現在の日時を計時し、現在日時情報を制御部２１に出力する。
【００３９】
［１−２．Ｗｅｂページの構造］
図２を参照して、端末装置２０で表示されるＷｅｂページの構造を説明する。図２（ａ）は、Ｗｅｂページ３０を示す図である。図２（ｂ）は、非制限広告ファイル４０を示す図である。図２（ｃ）は、透明動画ファイル５０を示す図である。図２（ｄ）は、広告動画ファイル６０を示す図である。
【００４０】
Ｗｅｂページ３０は、端末装置２０で表示されるページデータのＷｅｂページの一例である。図２（ａ）に示すように、Ｗｅｂページ３０は、広告表示領域３１を有する。広告表示領域３１は、広告画像が表示される領域である。広告表示領域３１には、下層としての非制限広告ファイル４０と、上層としての透明動画ファイル５０又は広告動画ファイル６０と、が重ね合わされて表示される。
【００４１】
図２（ｂ）に示すように、非制限広告ファイル４０は、広告の静止画の画像ファイルであって、ファイル形式がＧＩＦ（Graphics Interchange Format）であるファイルである。ＧＩＦは、表示制御のパワーセーブモードが有効にされている場合にも、１フレーム目で一時停止されるような表示の制限がかからないファイル形式である。なお、非制限広告ファイル４０は、ＢＭＰ（Microsoft Windows(登録商標) Bitmap Image）やＪＰＥＧ（Joint Photographic Experts Group）等、表示制御のパワーセーブモードにより１フレーム目で一時停止される表示制限がかからない他のファイル形式の静止画、動画の画像ファイルであってもよい。
【００４２】
図２（ｃ）に示すように、透明動画ファイル５０は、複数フレームからなり且つ全フレームが透明であるＳＷＦ（Small Web Format、フラッシュ）のフォーマット方式のファイルである。ＳＷＦは、表示制御のパワーセーブモードが有効にされている場合に、１フレーム目で一時停止されるように、表示の制限がかかるファイル形式である。また、透明動画ファイル５０は、帯域判定用のファイルとしても機能する。透明動画ファイル５０の容量は、例えば、２０［ｋＢ］程度である。
【００４３】
図２（ｄ）に示すように、広告動画ファイル６０は、複数フレームからなる広告の動画のＳＷＦファイルである。なお、透明動画ファイル５０、広告動画ファイル６０は、表示制御のパワーセーブモードで１フレーム目での一時停止の表示の制限がかかる他のファイル形式の動画ファイルであってもよい。広告動画ファイル６０として、帯域がブロードバンド用の容量（フレーム数、再生時間等）の大きなＳＷＦファイルと、帯域がナローバンド用の容量の小さなＳＷＦファイルとが用意されている。しかし、ＳＷＦを再生できない程細い帯域用に、ＳＷＦ以外のファイル形式の広告動画ファイル６０も用意されるものとする。
【００４４】
また、非制限広告ファイル４０が広告の内容を示す代表画像であるものとし、非制限広告ファイル４０の広告の本編が広告動画ファイル６０の動画であるものとする。なお、非制限広告ファイル４０と、透明動画ファイル５０、広告動画ファイル６０とが、全て同じファイル形式であっても、表示制御のパワーセーブモードで１フレーム目での一時停止の表示の制限がかかる形式のものと、表示制御のパワーセーブモードで１フレーム目での一時停止の表示の制限がかかる形式のものとする構成としてもよい。例えば、表示制御のパワーセーブモードにおいて、静止画でＧＩＦの形式のファイルが、１フレーム目での一時停止の表示の制限がかからなく、動画でＧＩＦの形式のファイルが、１フレーム目での一時停止の表示の制限がかかるものとする。このとき、非制限広告ファイル４０が、静止画でＧＩＦの形式のファイルであり、透明動画ファイル５０、広告動画ファイル６０が、動画でＧＩＦの形式のファイルであるものとしてもよい。
【００４５】
また、端末装置２０において、広告動画ファイル６０が表示された広告表示領域３１をクリック入力することで、広告のさらなる情報（詳細な説明情報や、購入画面情報等）のＷｅｂページへジャンプされ、広告のさらなる情報のＷｅｂページのページデータがサーバ１０から受信されて表示部２４に表示されるものとする。このとき、ＣＴＲのカウントがアップされる。
【００４６】
［１−３．ページ表示システム１の動作］
図３を参照して、ページ表示システム１の動作を説明する。図３は、第１のページ表示処理を示すフローチャートである。
【００４７】
端末装置２０で実行される第１のページ表示処理を説明する。予め、端末装置２０において、制御部２１により記憶部２２に記憶されたＯＳプログラム及びブラウザプログラムが起動しているものとする。また、操作部２５を介するユーザからの操作により、パワーセーブモードが有効か無効かの設定情報が入力されて記憶部２２に記憶されているものとする。パワーセーブモードの有効／無効は、例えば、ドメイン毎に設定される。例えば、端末装置２０において、あるドメインのＷｅｂページを初めて表示させた場合に、操作部２５を介して、ユーザからの当該ドメインのパワーセーブモードの有効／無効が入力され、設定情報に設定される。この設定情報は、ブラウザプログラムを実行する制御部２１により、パワーセーブモードの機能実行に用いられる。
【００４８】
端末装置２０において、例えば、ユーザから目的のＷｅｂページの指示情報（ＵＲＬ（Uniform Resource Locator）等）が入力され、制御部２１は、入力された指示情報に対応するＷｅｂページのページデータをサーバ１０から受信する。目的のＷｅｂページは、サーバ１０で提供するＷｅｂページとする。当該ページデータには、例えばＪａｖａＳｃｒｉｐｔ(登録商標) 等で記述された第１のページ表示プログラムが含まれている。端末装置２０において、例えば、ページデータがサーバ１０から受信されたことをトリガとして、制御部２１は、受信された第１のページ表示プログラムに従い、第１のページ表示処理を実行する。
【００４９】
図３に示すように、先ず、制御部２１は、通信部２３を介して、受信されたページデータに対応する非制限広告ファイルの要求をサーバ１０に送信し、当該非制限広告ファイルをサーバ１０から受信する（ステップＳ１１）。ステップＳ１１において、サーバ１０の制御部１１は、通信部１３を介して、非制限広告ファイルの要求を端末装置２０から受信すると、当該非制限広告ファイルを記憶部１２から読み出して端末装置２０に送信する。そして、制御部２１は、受信されたページデータを表示部２４に表示する（ステップＳ１２）。
【００５０】
そして、制御部２１は、通信部２３を介して、透明動画ファイルの要求をサーバ１０に送信し、当該透明動画ファイルをサーバ１０から受信するとともに、計時部２６から出力される日時情報を用いて、当該透明動画ファイルの送信開始から受信終了までの受信時間を計測する（ステップＳ１３）。ステップＳ１３において、サーバ１０の制御部１１は、通信部１３を介して、透明動画ファイルの要求を端末装置２０から受信すると、当該透明動画ファイルを記憶部２２から読み出して端末装置２０に送信する。
【００５１】
そして、制御部２１は、ステップＳ１３で計測した受信時間と、透明動画ファイルの容とを用いて、回線速度（＝容量／受信時間）を算出し、算出した回線速度に対応する帯域を判定する（ステップＳ１４）。帯域は、例えば、ブロードバンド、ナローバンド、ＳＷＦが再生できない程の細い帯域の３つである。
【００５２】
そして、制御部２１は、ステップＳ１３で受信された透明動画ファイルをページデータの広告表示領域で再生するとともに、計時部２６から出力される日時情報を用いて、再生開始からのタイマのカウントを開始する（ステップＳ１５）。
【００５３】
ステップＳ１５の実行後、制御部２１は、再生中の透明動画ファイルの２フレーム目が再生されたか否かを判別する（ステップＳ１６）。例えば、透明動画ファイルは、２フレーム目が再生されるとその旨の情報（コールバック）を、第１のページ表示プログラムを実行する制御部２１に出力するスクリプトが埋め込んであり、制御部２１は、２フレーム目の再生の旨の情報が入力されると、２フレーム目が再生されたと判別する。表示制御のパワーセーブモードにおいて、広告表示領域にパワーセーブが機能していると、透明動画ファイルの１フレーム目までしか再生されず、１フレーム目で一時停止される。また、ステップＳ１６は、表示制御のパワーセーブモードにより一時停止された透明動画ファイルの再生が再開されたか否かを判別している。２フレーム目が再生された場合（ステップＳ１６；ＹＥＳ）、ステップＳ１９に移行される。パワーセーブモードが無効の場合、一時停止無しで２フレーム目が再生される。
【００５４】
２フレーム目が再生されていない場合（ステップＳ１６；ＮＯ）、制御部２１は、カウント中のタイマが５０［ｍｓ］を経過したか否かを判別する（ステップＳ１７）。ステップＳ１７は、パワーセーブモードが有効か否かを判別するためのステップである。この５０［ｍｓ］は、透明動画ファイルの再生開始から２フレーム目までの再生時間よりも長い所定時間であり、他の値でもよい。５０［ｍｓ］を経過すれば、パワーセーブモードが有効である。５０［ｍｓ］を経過していない場合（ステップＳ１７；ＮＯ）、ステップＳ１６に移行される。５０［ｍｓ］を経過した場合（ステップＳ１７；ＹＥＳ）、制御部２１は、ステップＳ１１で受信した非制限広告ファイルをページデータの広告表示領域に表示し（ステップＳ１８）、ステップＳ１９に移行する。
【００５５】
ステップＳ１８の時点では、例えば、図２における非制限広告ファイル４０の上に透明動画ファイル５０が重ね合わされて再生されているので、ユーザは、広告表示領域３１において、非制限広告ファイル４０のみが目視により認識できる。
【００５６】
また、ステップＳ１５の実行後、制御部２１は、ステップＳ１６と同様に、再生中の透明動画ファイルの２フレーム目が再生されたか否かを判別する（ステップＳ１９）。ステップＳ１８により非制限広告ファイルが表示された場合に、ユーザは、非制限広告ファイルを目視して、それに興味があり本編としての広告動画ファイルを見たい場合に、操作部２５を介して、非制限広告ファイルが表示された広告表示領域上のクリック入力（本出願にいうクリックは、タッチパネルに対するタップなどのタッチ操作その他の選択操作であってもよい）を行う。ブラウザプログラムを実行する制御部２１は、非制限広告ファイルが表示された広告表示領域のクリック入力がなされた場合に、透明動画ファイル再生の一時停止を解除し、透明動画ファイルの２フレーム以降も再生する。
【００５７】
２フレーム目が再生された場合（ステップＳ１９；ＹＥＳ）、制御部２１は、通信部２３を介して、ステップＳ１４で判定された帯域に応じた広告動画ファイルの要求をサーバ１０に送信し、当該広告動画ファイルをサーバ１０から受信する（ステップＳ２０）。例えば、帯域がブロードバンドの場合に、容量が大きな広告動画ファイルが要求され、帯域がナローバンドの場合に、容量が小さな広告動画ファイルが要求され、ＳＷＦが再生できない細い帯域の場合に、ＳＷＦ以外の広告動画ファイルが要求される。ステップＳ２０において、サーバ１０の制御部１１は、通信部１３を介して、広告動画ファイルの要求を端末装置２０から受信すると、当該広告動画ファイルを記憶部１２から読み出して端末装置２０に送信する。
【００５８】
そして、制御部２１は、ステップＳ２０で受信された広告動画ファイルをページデータの広告表示領域で再生し（ステップＳ２１）、第１のページ表示処理を終了する。ステップＳ２１の時点では、例えば、図２における非制限広告ファイル４０の上に、透明でない広告動画ファイル６０が重ね合わされて再生されているので、ユーザは、広告表示領域３１において、広告動画ファイル６０のみが目視により認識できる。なお、ステップＳ２１では、透明動画ファイルに代えて広告動画ファイルが再生されるものとするが、広告動画ファイルが透明動画ファイルの上又は下に重ね合わされて再生されるものとしてもよい。
【００５９】
［１−４．効果］
以上、本実施の形態によれば、端末装置２０は、透明動画ファイルを表示部２４に再生し、非制限広告ファイルを透明動画ファイルの下に重ね合わせて表示し、透明動画ファイルの２フレーム目が再生されたか否かを判別する。このように、透明動画ファイルの２フレーム目が再生されたか否かにより、パワーセーブモードにより一時停止された透明動画ファイルの再生が再開されたか否かを判別している。そして、端末装置２０は、透明動画ファイルの再生が再開された場合に、広告動画ファイルを非制限広告ファイルの上に重ね合わせて再生する。
【００６０】
このため、表示制御のパワーセーブモードが有効である場合に、適切な非制限広告ファイルを確実に表示でき、ユーザはその広告内容を確実に視認できる。さらに、表示制御のパワーセーブモードによる広告動画ファイル再生が再開された場合に、非制限広告ファイルよりも広告効果の高い広告動画ファイルを再生できる。このように、非制限広告ファイル及び広告動画ファイルにより、広告のＣＴＲを高めることができる。
【００６１】
また、透明動画ファイルは、帯域判定用ファイルでもある。端末装置２０は、透明動画ファイルをサーバ１０から受信し、受信された透明動画ファイルの受信時間から帯域を判定し、判定された帯域に対応する広告動画ファイルをサーバ１０から受信し、受信された広告動画ファイルを再生する。このため、透明動画用のファイルと、帯域判定用のファイルとを、別々に受信することなく、透明動画ファイルのみを受信すればよいので、ファイルの無駄な受信を避け、ファイルの受信時間、受信処理の負荷、記憶容量を低減できる。
【００６２】
また、端末装置２０は、透明動画ファイルの再生開始から、２フレーム目までの再生時間よりも長い所定時間（５０［ｍｓ］）経過後に、非制限広告ファイルを表示する。このため、所定時間経過してパワーセーブモードが有効であることを確実に判別でき、有効である場合に非制限広告ファイルを確実に表示できる。
【００６３】
［２．変形例］
図４及び図５を参照して、第１の実施の形態の変形例を説明する。第１の実施の形態では、パワーセーブモードが有効で広告動画ファイルが再生されない場合に、非制限広告ファイルが表示される構成であったが、本変形例では、パワーセーブモードが有効で広告動画ファイルが再生されなく、ユーザの指示がある場合に、非制限広告ファイルが表示される構成である。
【００６４】
［２−１．装置構成］
本変形例の装置構成は、第１の実施の形態のページ表示システム１と同様である。
【００６５】
［２−２．ページ表示システム１の動作］
図４及び図５を参照して、ページ表示システム１の動作を説明する。図４は、第２のページ表示処理を示すフローチャートである。図５は、広告表示領域７０を示す図である。
【００６６】
端末装置２０で実行される第２のページ表示処理を説明する。第１のページ表示処理と同様に、予め、端末装置２０において、ＯＳプログラム及びブラウザプログラムが起動され、パワーセーブモードが有効か無効かの設定情報が記憶部２２に記憶されているものとする。
【００６７】
端末装置２０において、ユーザにより入力された目的のＷｅｂページの指示情報に対応するページデータがサーバ１０から受信されたことをトリガとして、制御部２１は、ページデータに含まれる第２のページ表示プログラムに従い、第２のページ表示処理を実行する。
【００６８】
図４に示すように、先ず、ステップＳ３１〜Ｓ３４は、図３の第１のページ表示処理のステップＳ１１〜Ｓ１４と同様である。そして、制御部２１は、非制限広告指示バーをページデータの広告表示領域内に表示し、ステップＳ３３で受信された透明動画ファイルを当該広告表示領域で再生するとともに、計時部２６から出力される日時情報を用いて、再生開始からのタイマのカウントを開始する（ステップＳ３６）。
【００６９】
非制限広告指示バーは、クリック入力により非制限広告ファイルの表示指示を受け受けるバーである。ステップＳ３６では、例えば、図５に示すように、広告表示領域７０内の下端部に、非制限広告指示バー７１が表示され、透明動画ファイルが動画再生領域７２で再生される。
【００７０】
ステップＳ３６，Ｓ３７は、図３のステップＳ１６，Ｓ１７と同様である。５０［ｍｓ］を経過した場合（ステップＳ３７；ＹＥＳ）、制御部２１は、操作部２５を介して、非制限広告指示バーにクリック入力がされたか否かを判別する（ステップＳ３８）。非制限広告指示バーにクリック入力がされていない場合（ステップＳ３８；ＮＯ）、ステップＳ３８に移行される。非制限広告指示バーにクリック入力がされた場合（ステップＳ３８；ＹＥＳ）、制御部２１は、ステップＳ３１で受信された非制限広告ファイルをページデータの広告表示領域に表示し（ステップＳ３９）、第２のページ表示処理を終了する。
【００７１】
ステップＳ３９では、例えば、図５の広告表示領域７０の非制限広告指示バー７１が削除され、広告表示領域７０内に非制限広告ファイルが表示される。このとき、端末装置２０において、非制限広告ファイル４０が表示された広告表示領域３１をクリック入力することで、広告のさらなる情報のＷｅｂページへジャンプされ、広告のさらなる情報のＷｅｂページのページデータがサーバ１０から受信されて表示部２４に表示されるものとする。なお、ステップＳ３９の実行後、ステップＳ４０に移行されることとしてもよい。ステップＳ４０〜Ｓ４２は、図３のステップＳ１９〜Ｓ２１と同様である。
【００７２】
［２−３．効果］
以上、本変形例によれば、端末装置２０は、操作部２５により、非制限広告ファイルの表示指示の入力を受け付け、非制限広告ファイルの表示指示が入力された場合に、非制限広告ファイルを表示する。このため、ユーザが非制限広告ファイルを表示したい場合にのみ、非制限広告ファイルを手動で表示できる。
【００７３】
［３．第２の実施の形態］
図６を参照して、本発明に係る第２の実施の形態を説明する。本実施の形態は、広告動画ファイルの最初に１フレームの透明フレームを追加し、広告動画ファイルの一時停止時に、非制限広告ファイルが表示される構成である。
【００７４】
［３−１．装置構成］
本変形例の装置構成は、第２の実施の形態のページ表示システム１と同様である。また、サーバ１０の記憶部１２には、透明動画ファイルに代えて、帯域判定用ファイルが記憶されているものとする。帯域判定用ファイルは、透明動画ファイルである必要はなく、例えば、所定容量の静止画ファイルとする。
【００７５】
［３−２．ページ表示システム１の動作］
図６を参照して、ページ表示システム１の動作を説明する。図６は、第３のページ表示処理を示すフローチャートである。
【００７６】
端末装置２０で実行される第３のページ表示処理を説明する。第１のページ表示処理と同様に、予め、端末装置２０において、ＯＳプログラム及びブラウザプログラムが起動され、パワーセーブモードが有効か無効かの設定情報が記憶部２２に記憶されているものとする。
【００７７】
端末装置２０において、ユーザにより入力された目的のＷｅｂページの指示情報に対応するページデータがサーバ１０から受信されたことをトリガとして、制御部２１は、ページデータに含まれる第３のページ表示プログラムに従い、第３のページ表示処理を実行する。
【００７８】
図６に示すように、先ず、ステップＳ５１，Ｓ５２は、図３の第１のページ表示処理のステップＳ１１，Ｓ１２と同様である。そして、制御部２１は、通信部２３を介して、帯域判定用ファイルの要求をサーバ１０に送信し、当該帯域判定用ファイルをサーバ１０から受信するとともに、計時部２６から出力される日時情報を用いて、当該帯域判定用ファイルの送信開始から受信終了までの受信時間を計測する（ステップＳ４３）。ステップＳ４３において、サーバ１０の制御部１１は、通信部１３を介して、帯域判定用ファイルの要求を端末装置２０から受信すると、当該帯域判定用ファイルを記憶部２２から読み出して端末装置２０に送信する。
【００７９】
ステップＳ５５は、図３のステップＳ２０と同様である。そして、制御部２１は、ステップＳ５５で受信された広告動画ファイルのフレームの最初に、１フレームの透明フレームを追加する（ステップＳ５６）。なお、ステップＳ５６では、広告動画ファイルのフレームの最初に複数の透明フレームが追加されることとしてもよい。
【００８０】
ステップＳ５７は、図３のステップＳ１８と同様である。そして、制御部２１は、ステップＳ５６で透明フレームが追加された広告動画ファイルをページデータの広告表示領域に表示し（ステップＳ５８）、第３のページ表示処理を終了する。
【００８１】
ステップＳ５８の時点では、パワーセーブモードが有効である場合に、例えば、図２における非制限広告ファイル４０の上に、広告動画ファイル６０の一時停止された追加の透明フレームが重ね合わされて再生されているので、ユーザは、広告表示領域３１において、非制限広告ファイル４０のみが目視により認識できる。次いで、広告表示領域３１がクリック入力されることで、広告動画ファイル６０の一時停止が解除され、広告動画ファイル６０の透明フレームに続く通常のフレームが再生され、広告動画ファイル６０のみが目視により認識できる。
【００８２】
［３−３．効果］
以上、本実施の形態によれば、端末装置２０は、非制限広告ファイルを表示部２４に表示し、最初に１つの透明フレームを追加した広告動画ファイルを非制限広告ファイルの上に重ね合わせて再生する。このため、表示制御のパワーセーブモードが有効である場合に、適切な非制限広告ファイルを確実に表示でき、ユーザはその広告内容を確実に視認できる。さらに、表示制御のパワーセーブモードによる広告動画ファイル再生の一時停止が解除され２フレーム目が再生された場合に、非制限広告ファイルよりも広告効果の高い広告動画ファイルを再生できる。このように、非制限広告ファイル及び広告動画ファイルにより、広告のＣＴＲを高めることができる。
【００８３】
また、端末装置２０は、広告動画ファイルの最初に１つの透明フレームを追加し、当該１つの透明フレームが追加された広告動画ファイルを再生する。このため、外部のサーバ１０から受信したいかなる広告動画ファイルについて、表示制御のパワーセーブモードが有効である場合に、適切な非制限広告ファイルを確実に表示できる。
【００８４】
［４．その他］
以上の説明では、本発明に係るプログラムのコンピュータ読み取り可能な媒体としてＨＤＤ，ＳＳＤを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００８５】
なお、上記実施の形態及び変形例における記述は、本発明に係る動画再生制御装置、動画再生制御方法及びプログラムの一例であり、これに限定されるものではない。
【００８６】
上記第１の実施の形態において、端末装置２０が、第１のページ表示処理を実行する動画再生制御装置である構成としたが、これに限定されるものではない。サーバ１０が、第１のページ表示処理と同等の処理を行う動画再生制御装置である構成としてもよい。例えば、サーバ１０が、ページデータ、非制限広告ファイルを表示手段としての端末装置２０に送信し、ページデータを端末装置２０に表示させ、透明動画ファイルを端末装置２０に送信し、端末装置２０に帯域を判定させる。そして、サーバ１０は、透明動画ファイルを端末装置２０に再生させ、５０［ｍｓ］経過後に非制限広告ファイルを端末装置２０に表示させ、端末装置２０からのスクリプトのコールバックに応じて、透明動画ファイルの２フレーム目が再生されたか否かを判別し、再生された場合に、判定された帯域に応じた広告動画ファイルを端末装置２０に送信して非制限広告ファイルに重ね合わせて再生させる。
【００８７】
上記変形例においても、サーバ１０が、第２のページ表示処理と同等の処理を行う動画再生制御装置である構成としてもよい。サーバ１０は、上記第１のページ表示処理と同等の処理に追加して、非制限広告指示バーを端末装置２０に表示させ、また、端末装置２０からの操作情報に応じて、非制限広告指示バーのクリック入力の有無を判別する。
【００８８】
上記第２の実施の形態においても、サーバ１０が、第３のページ表示処理と同等の処理を行う動画再生制御装置である構成としてもよい。例えば、サーバ１０が、ページデータ、非制限広告ファイルを端末装置２０に送信し、ページデータを端末装置２０に表示させ、帯域判定用ファイルを端末装置２０に送信し、端末装置２０に帯域を判定させる。そして、サーバ１０は、判定された帯域に応じた広告動画ファイルの最初に少なくとも１つの透明フレームを追加して端末装置２０に送信し、非制限広告ファイルを端末装置２０に表示させ広告動画ファイルを非制限広告ファイルに重ね合わせて端末装置２０に再生させる。
【００８９】
また、上記実施の形態及び変形例では、非制限広告ファイルに透明動画ファイルを重ね合わせ、非制限広告ファイルに広告動画ファイルを重ね合わせる構成としたが、これに限定されるものではない。例えば、非制限広告ファイルに透明動画ファイルをずらして重ね、非制限広告ファイルに広告動画ファイルをずらして重ねる構成としてもよい。このとき、広告動画ファイルからずれて露出した非制限広告ファイルの領域をクリック入力することにより、非制限広告ファイルのみを広告表示領域内に表示する構成としてもよい。
【００９０】
また、上記実施の形態及び変形例では、非制限画像ファイル、第２の動画ファイルとして、広告に関する非制限広告ファイル、広告動画ファイルを説明したが、これに限定されるものではない。非制限画像ファイル、第２の動画ファイルを、例えば、Ｗｅｂページの内容に関する説明のための非制限説明ファイル、説明動画ファイルとしてもよい。
【００９１】
また、上記実施の形態及び変形例では、Ｗｅｂページ上の全ての領域が表示制御のパワーセーブモードの対象としたが、これに限定されるものではない。例えば、Ｗｅｂページ上の非主要領域等の所定領域が表示制御のパワーセーブモードの対象となり、主要領域等の所定領域が表示制御のパワーセーブモードの対象とならないこととしてもよい。
【００９２】
また、上記実施の形態及び変形例におけるページ表示システム１の各構成要素の細部構成及び細部動作に関しては、本発明の趣旨を逸脱することのない範囲で適宜変更可能であることは勿論である。
【００９３】
今回開示された実施の形態及び変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９４】
１  ページ表示システム
１０  サーバ
１１  制御部
１２  記憶部
１３  通信部
２０  端末装置
２１  制御部
２２  記憶部
２３  通信部
２４  表示部
２５  操作部
２６  計時部
Ｎ  通信ネットワーク
【図１】
2016032188.tif 000003
【図２】
2016032188.tif 000004
【図３】
2016032188.tif 000005
【図４】
2016032188.tif 000006
【図５】
2016032188.tif 000007
【図６】
2016032188.tif 000008